(57)【要約】【課題】本発明は、ストラップ部に入力部を設けて確実に防水できると共に、ストラップ部からイヤホーンを取り外し可能としたことを目的とする。【解決手段】本発明の入力装置は、リード線１２を内部に埋設した帯状のストラップ部２と、このストラップ部２を環状に連結する連結部材２０、３１とを備え、ストラップ部２は、複数の入力部１０が形成されたシート状のメンブレン３と、入力部１０を形成した部分のメンブレン３を挟み込んで密閉可能な帯状の狭持部材１１とを有し、メンブレン３は、一端部が狭持部材１１の端部から引き出されて連結部材２０を介して外部機器３０に接続可能になっている。【選択図】        図１
2004193077.tif 000002
【特許請求の範囲】
【請求項１】
リード線を内部に埋設した帯状のストラップ部と、このストラップ部を環状に連結する連結部材とを備え、前記ストラップ部は、複数の入力部が形成されたシート状のメンブレンと、前記入力部を形成した部分の前記メンブレンを挟み込んで密閉可能な帯状の狭持部材とを有し、前記メンブレンは、一端部が前記狭持部材の端部から引き出されて前記連結部材を介して外部機器に接続可能になっていることを特徴とする入力装置。
【請求項２】
前記狭持部材は、前記リード線を長手方向に埋設したリード線埋設部と、このリード線埋設部に沿って前記メンブレンを挟み込んで前記密閉可能な互いに対向する一方と他方の狭持板とが形成されていることを特徴とする請求項１記載の入力装置。
【請求項３】
前記一方と他方の狭持板は、それぞれの一端部が前記リード線埋設部に一体化されると共に、それぞれの他端部が所定寸法で離間して開放されており、前記一方と他方の狭持板のそれぞれの前記他端部を熱溶着して前記メンブレンを前記挟み込んで密閉したことを特徴とする請求項２記載の入力装置。
【請求項４】
前記一方と他方の狭持板間に挟み込んで密閉した前記メンブレンは、シート状で櫛歯状の基板を折り返して互いに対向させて形成され、前記入力部は、互いに対向する部分の前記基板にそれぞれ形成した接点部からなり、この接点部は、周囲が絶縁性のレジスト膜でオーバーコートされて所定範囲が露出していることを特徴とする請求項２または３記載の入力装置。
【請求項５】
前記一方と他方の狭持板は、薄肉に形成されて前記接点部が位置する部分が弾性変形可能になっていることを特徴とする請求項４記載の入力装置。
【請求項６】
前記ストラップ部は、前記狭持部材が一対配設され、前記連結部材は、前記一対の狭持部材のそれぞれの一端部を連結する第１の連結部材と、前記一対の狭持部材のそれぞれの他端部を連結する第２の連結部材とを有し、前記第１、第２の連結部材で前記一対の狭持部材を連結することにより前記ストラップ部が前記環状になっていることを特徴とする請求項１乃至５のいずれかに記載の入力装置。
【請求項７】
前記第１の連結部材には、前記リード線と前記メンブレンとが前記一対の狭持部材の前記一端部からそれぞれ引き出されて接続され、前記第２の連結部材には、前記リード線が前記一対の狭持部材の前記他端部からそれぞれ引き出されて接続されていることを特徴とする請求項６記載の入力装置。
【請求項８】
前記第１の連結部材には、前記外部機器と前記メンブレンの前記入力部との接続を切り換え可能なスイッチ部材を配設したことを特徴とする請求項１乃至７のいずれかに記載の入力装置。
【請求項９】
前記一対の狭持部材の前記一端部からそれぞれ引き出されている前記メンブレンンには、前記第１の連結部材に配設したＦＰＣコネクタに接続可能な端子部が形成されていることを特徴とする請求項６乃至８のいずれかに記載の入力装置。
【請求項１０】
前記第２の連結部材には、イヤホーンを接続可能なイヤホンジャックが配設されていることを特徴とする請求項６乃至９のいずれかに記載の入力装置。
【請求項１１】
前記第２の連結部材は、前記イヤホーンジャックを取り付け可能なジャック基板を有し、このジャック基板を内部に収納して前記密閉可能になっていることを特徴とする請求項１０記載の入力装置。
【請求項１２】
前記ストラップ部は、前記狭持部材の外周部を被覆部材で覆ったことを特徴とする請求項１乃至１１のいずれかに記載の入力装置。
【請求項１３】
前記被覆部材には、前記入力部が位置する部分に表示マークが形成されていることを特徴とする請求項１２記載の入力装置。
【請求項１４】
前記ストラップ部は、首掛け可能とされ、前記第２の連結部材を首側に位置させて首掛けすると、前記入力部及び前記スイッチ部が手で操作可能な範囲に位置すようになっていることを特徴とする請求項８乃至１３のいずれかに記載の入力装置。
【発明の詳細な説明】
【０００１】
【発明の属する技術分野】
本発明は入力装置に係わり、環状のストラップ部にシート状のメンブレンを密閉可能な入力装置に関する。
【０００２】
【従来の技術】
従来の入力装置は、図２２に示すように、人の首等に掛けることができる環状のストラップ部５１を有し、このストラップ部５１は、図示上部側の２箇所から、イヤホンケーブル５２が所定長さで引き出されている。このイヤホーンケーブル５２は、先端部にイヤホーン５３が接続されている。
【０００３】
また、ストラップ部５１は、環状の図示下部側が連結部材５４で連結され、この連結部５４には入力部（図示せず）が配設されている。また、イヤホーンケーブル５２は、ストラップ部５１の内部に埋設されて、連結部５４まで延長形成されて連結部５４の入力部に接続されている。
また、連結部５４からは、入力部に接続される所定長さのケーブル５５が引き出し形成され、このケーブル５５は、音声信号用のケーブルと、入力部５４から出力される信号送信用のケーブルとからなり、端部にプラグ（図示せず）が接続されている。
【０００４】
このような構成の従来の入力装置は、ケーブル５５の端部のプラグを携帯用音響機器５６のジャック部（図示せず）に挿入して接続することにより、携帯用音響機器５６を衣服のポケット、あるいはバッグ等に入れた状態で、ストラップ部５１を首に掛けて、イヤホーン５３を操作者の耳の挿着して使用可能になっている。
そして、連結部５４の入力部（図示せず）の操作により、ＣＤ等の音楽の再生／停止操作等を行えるようになっている。
【０００５】
【特許文献】
特開２００１−２５８０７８号公報
【０００６】
【発明が解決しようとする課題】
しかし、前述したような従来の入力装置は、屋外等でストラップ部５１を首に掛けた状態でイヤホーン５３でＣＤ等の再生を行って音楽等を鑑賞中に、雨等が降ってくると、連結部５４の内部に水滴が侵入して、内部の入力部（図示せず）がショート等して不具合が発生するおそれがあった。
また、連結部５４に設けた入力部で携帯用音響機器５６の再生／停止操作等だけでなく、音量調整、あるいはバランス調整等の複数調整を行おうとすると、入力部が複数必要となって連結部が大型になる問題があった。
また、従来の入力装置は、イヤホーン５３がイヤホーンケーブル５２を介してストラップ部５１と一体化されているので、ストラップ部５１を首に掛けた状態で、音楽等を鑑賞しない場合に、耳から外したイヤホーン５３がぶらついて邪魔になる問題があった。
【０００７】
本発明は前述したような問題点に鑑みてなされたもので、ストラップ部に入力部を設けて確実に防水できると共に、ストラップ部からイヤホーンを取り外し可能としたことを目的とする入力装置を提供すること。
【０００８】
【課題を解決するための手段】
前記課題を解決するための第１の解決手段として本発明の入力装置は、リード線を内部に埋設した帯状のストラップ部と、このストラップ部を環状に連結する連結部材とを備え、前記ストラップ部は、複数の入力部が形成されたシート状のメンブレンと、前記入力部を形成した部分の前記メンブレンを挟み込んで密閉可能な帯状の狭持部材とを有し、前記メンブレンは、一端部が前記狭持部材の端部から引き出されて前記連結部材を介して外部機器に接続可能になっていることを特徴とする。
【０００９】
また、前記課題を解決するための第２の解決手段として、前記狭持部材は、前記リード線を長手方向に埋設したリード線埋設部と、このリード線埋設部に沿って前記メンブレンを挟み込んで前記密閉可能な互いに対向する一方と他方の狭持板とが形成されていることを特徴とする。
【００１０】
また、前記課題を解決するための第３の解決手段として、前記一方と他方の狭持板は、それぞれの一端部が前記リード線埋設部に一体化されると共に、それぞれの他端部が所定寸法で離間して開放されており、前記一方と他方の狭持板のそれぞれの前記他端部を熱溶着して前記メンブレンを前記挟み込んで密閉したことを特徴とする。
【００１１】
また、前記課題を解決するための第４の解決手段として、前記一方と他方の狭持板間に挟み込んで密閉した前記メンブレンは、シート状で櫛歯状の基板を折り返して互いに対向させて形成され、前記入力部は、互いに対向する部分の前記基板にそれぞれ形成した接点部からなり、この接点部は、周囲が絶縁性のレジスト膜でオーバーコートされて所定範囲が露出していることを特徴とする。
【００１２】
また、前記課題を解決するための第５の解決手段として、前記一方と他方の狭持板は、薄肉に形成されて前記接点部が位置する部分が弾性変形可能になっていることを特徴とする。
【００１３】
また、前記課題を解決するための第６の解決手段として、前記ストラップ部は、前記狭持部材が一対配設され前記連結部材は、前記一対の狭持部材のそれぞれの一端部を連結する第１の連結部材と、前記一対の狭持部材のそれぞれの他端部を連結する第２の連結部材とを有し、前記第１、第２の連結部材で前記一対の狭持部材を連結することにより前記ストラップ部が前記環状になっていることを特徴とする。
【００１４】
また、前記課題を解決するための第７の解決手段として、前記第１の連結部材には、前記リード線と前記メンブレンとが前記一対の狭持部材の前記一端部からそれぞれ引き出されて接続され、前記第２の連結部材には、前記リード線が前記一対の狭持部材の前記他端部からそれぞれ引き出されて接続されていることを特徴とする。
【００１５】
また、前記課題を解決するための第８の解決手段として、前記第１の連結部材には、前記外部機器と前記メンブレンの前記入力部との接続を切り換え可能なスイッチ部材を配設したことを特徴とする。
【００１６】
また、前記課題を解決するための第９の解決手段として、前記一対の狭持部材の前記一端部からそれぞれ引き出されている前記メンブレンンには、前記第１の連結部材に配設したＦＰＣコネクタに接続可能な端子部が形成されていることを特徴とする。
【００１７】
また、前記課題を解決するための第１０の解決手段として、前記第２の連結部材には、イヤホーンを接続可能なイヤホンジャックが配設されていることを特徴とする。
【００１８】
また、前記課題を解決するための第１１の解決手段として、前記第２の連結部材は、前記イヤホーンジャックを取り付け可能なジャック基板を有し、このジャック基板を内部に収納して前記密閉可能になっていることを特徴とする。
【００１９】
また、前記課題を解決するための第１２の解決手段として、前記ストラップ部は、前記狭持部材の外周部を被覆部材で覆ったことを特徴とする。
【００２０】
また、前記課題を解決するための第１３の解決手段として、前記被覆部材には、前記入力部が位置する部分に表示マークが形成されていることを特徴とする。
【００２１】
また、前記課題を解決するための第１４の解決手段として、前記ストラップ部は、首掛け可能とされ、前記第２の連結部材を首側に位置させて首掛けすると、前記入力部及び前記スイッチ部が手で操作可能な範囲に位置すようになっていることを特徴とする。
【００２２】
【発明の実施の形態】
以下に、本発明のプリンタの給紙機構を図面に基づいて説明する。図１は本発明の入力装置を説明する斜視図であり、図２は本発明に係わるメンブレンを説明する図であり、図３は図２のメンブレンを折り畳んだ状態を説明する図であり、図４は本発明に係わる入力部を説明する要部断面図であり、図５〜図７は本発明に係わる狭持部材を説明する図であり、図８〜図１０は本発明に係わる狭持部材の組立を説明する斜視図であり、図１１、１２は本発明に係わる被覆部材を説明する図であり、図１３〜図１７は本発明に係わる第１の連結部材を説明する図であり、図１８〜図２１は本発明に係わる第２の連結部材を説明する図である。
【００２３】
まず、本発明の入力手段１は、図１に示すように、人の首等に掛けることができる（首掛け可能な）柔軟性があって帯状で環状のストラップ部２が配設されている。このストラップ部２には、内部にＰＥＴフィルム等からなる可撓性があるシート状のメンブレン３が密閉されて配設されている。
前記メンブレン３は、図２に示すように、短冊状に形成された４本の第１〜第４の基板３ａ〜３ｄが図示左側の一端部側に桟部３ｅが形成され、この桟部３ｅで４本の第１〜第４の基板３ａ〜３ｄが連結されて櫛歯状に形成されている。
そして、メンブレン３の一端部側には、桟部３ｅから図示左側に突出して端子部４が形成され、この端子部４には、第１〜第４の基板３ａ〜３ｄの形成された後述する入力部１０の接点部６ａに接続されて引き回しされる複数の回路パターン４ａが形成されている。
【００２４】
また、第１〜第４の基板３ａ〜３ｄのそれぞれの表面には、端子部４の回路パターン４ａに接続する良導体膜からなる銀電極５が形成され、この銀電極５上には、図４に示すように、抵抗体膜からなる抵抗体層６が形成されている。
そして、抵抗体層６は、周囲が絶縁性のレジスト膜７でオーバーコートされて所定範囲が露出され、この露出部分が接点部６ａとなっている。
前記接点部６ａは、桟部３ｅ側から等距離の位置の基板３ａ〜３ｄのそれぞれ複数形成されている。
【００２５】
このような櫛歯状のメンブレン３は、図３に示すように、桟部３ｅを折り畳んで第２の基板３ｂ上に第１の基板３ａを重ねると共に、第３の基板３ｃ上に第４の基板３ｄが重ねて、第１の基板群８と第２の基板群９とが形成されている。
また、第１、第２の基板群８、９は、桟部３ｅが熱接着等で接着されて接着部３ｆ、３ｆが形成されている。
【００２６】
そして、第１、第２の基板群８、９を、図４に示す第１の基板群８で説明すると、第１、第２の基板３ａ、３ｂに形成したそれぞれの接点部６ａは、レジスト、アク７がスペーサとなって、所定のギャップを有して互いに対向している。
そして、それぞれの接点部６ａが対向する部分が入力部１０となっており、この入力部１０が位置する部分の第１の基板３ａ、または第２の基板３ｂ、または両方を押圧操作すると、それぞれの接点部６ａが接触して電気的に導通するようになっている。
この入力部１０を操作して、それぞれの接点部６ａが導通することにより、後述する携帯用音響機器である外部機器３０の音量調整、あるいはスキップ（曲送り）等が操作可能になっている。
【００２７】
また、それぞれの基板３ａ〜３ｄを桟部３ｅで折り畳んだ第１、第２の基板群８、９は、入力部１０を形成する部分が、図８、９に示すような一対の狭持部材１１にそれぞれ挟み込み込まれて密閉可能になっている。
前記一対の狭持部材１１は、柔軟性のある合成樹脂からなり、帯状で長尺状に形成されており、図５〜図７に示すように、左側にリード線１２を長手方向に埋設した円柱状のリード線埋設部１３が形成されている。
また、狭持部材１１は、リード線埋設部１３に沿って、メンブレン３の第１の基板群８、または第２の基板群９を挟み込んで密閉可能なメンブレン密閉部１４が形成されている。
【００２８】
このメンブレン密閉部１４は、互いに対向する一方と他方の狭持板１５、１６が形成され、図５、６に示すように、図示左側のそれぞれの一端部がリード線埋設部１３に一体形成されると共に、図示右側のそれぞれの他端部が所定寸法の隙間を有して離間して開放されている。
そして、図５に示すように、一方の狭持板１５を他方の狭持板１６より長く形成して、一方の狭持板１５の他端部を２点鎖線で示すように折り返して、それぞれぞれの他端部を熱溶着して、内部のメンブレン３を密閉するようになっている。
そのために、内部のメンブレン３が防水されて、雨の等の水滴が狭持部材１１にかかっても、入力部１０に水滴が侵入するのを防ぐことができる。
【００２９】
また、狭持部材１１の変形例として、図６に示すように、一方の狭持板１５の他端部には、リード線埋設部１３と平行方向に凸条部１５ａが突出形成され、他方の狭持板１６には、凸条部１５ａが圧入嵌合可能な凹溝１６ａを形成して、凸条部１５ａを凹溝１６ａに圧入嵌合させるようにしたものでも良い。
【００３０】
前記一対の狭持部材１１は、図８、９に示すように、開放状態の一方と他方の狭持板１５、１６間に、メンブレン３の第１、第２の基板群８、９を位置させると、図示左側の一端部の外側には、リード線１２とメンブレン３の一端部側の桟部３ｅとが引き出されている。また、図示右側の他端部からは、リード線１２が引き出されている。
そして、開放状態の一方と他方の狭持板１５、１６を、互いに密着させて熱溶着することにより、入力部１０を形成した部分のメンブレン３が密閉される。
このことにより、入力部１０を形成した部分のメンブレン３が防水されて、雨等の水滴が入力部１０に侵入するのを防止できるようになっている。
【００３１】
また、メンブレン３を密閉した状態の一対の狭持部材１１は、図１０に示すように、外周部が被覆部材１７、１８で覆われている。この被覆部材１７、１８は、布、あるいは柔軟性のある樹脂材料等からなり、長さが狭持部材１１と同等あるいは若干短く形成されている。
また、被覆部材１７、１８は、図１１、１２に示すように、内部にメンブレン３を密閉した状態の狭持部材１１を挿入可能な、幅狭の挿入孔１７ａ、１８ａが貫通形成されている。
また、被覆部材１７、１８は、図示下端部寄りで一端部寄りの位置の表面に、図１１、１２に示すような表示マーク１７ｂ、１８ｂが印刷等により形成されている。
前記表示マーク１７ｂ、１８ｂは、被覆部材１７、１８の両面、あるいは外側の一方の面側に形成されている。
【００３２】
そして、挿入孔１７ａ、１８ａに、メンブレン３を密閉した状態の狭持部材１１を挿入して、一対の狭持部材１１の外周部を被覆部材１７、１８で覆うと、表示マーク１７ｂ、１８ｂが形成されて部分に、入力部１０がそれぞれ位置するようになっている。
また、図１０に示すように、一対の狭持部材１１の外周部を覆う被覆部材１７、１８の両端部にはそれぞれ支持孔１９が貫通形成されており、この支持孔１９が位置する部分の一対の狭持部材１１及び第１、第２の基板群８、９にも、それぞれ貫通孔（図示せず）が形成されている。
そして、それぞれの支持孔１９に、後述する第１連結部材２０の支持ピン２１ｆ、及び第２連結部材３１の支持ピン３２ｄが挿通されて、一対の狭持部材１１の両端部が連結可能になっている。
【００３３】
前述したような、一対の狭持部材１１は、図１０に示す左側のそれぞれの一端部が第１の連結部材２０に連結されている。この第１の連結部材２０は、図１３〜図１７に示すように、外形が略円形状のケース２１が配設されている。
このケース２１の裏面側は、図１３に示すように、略中央部に貫通孔２１ａが形成され、この貫通孔２１ａ周囲に略Ｄ字状の壁部２１ｂが形成され、この壁部２１ｂに囲まれて所定深さの凹部２１ｃが形成されている。
また、ケース２１の図示左側の奥側には、図１３に示すように、被覆部材１７、１８で被覆された状態の一対の狭持部材１１、１１の一端部側を、重ね合わせた状態で保持可能な第１の保持溝２１ｄが形成され、この第１の保持溝２１ｄと対向するケース２１の図示右側の手前側には、後述するケーブル２７を保持可能な第２の保持溝２１ｅとが形成されている。
また、ケース２１は、第１の保持溝２１ｄが形成された部分に２本の支持ピン２１ｆが所定の高さで突出形成されている。
【００３４】
また、ケース２１の凹部２１ｃと対向する表面側には、図１４に示すようなキートップ２２が配置可能になっている。前記キートップ２２は、外形が略円形状の鍔部２２ａと貫通孔２１ａ内に位置するスイッチ操作部２２ｂとが形成されている。また、鍔部２２ａには、ゴム圧入部２２ｃが形成され、このゴム圧入部２２ｃに防水ゴム２３が圧入されて、ケース２１の表面側が防水可能になっている。
また、図１２に示すケース２１の裏面側で壁部２１ｂ上には、図１５に示すような絶縁性の基板２４が載置可能になっており、この基板２４の一方の面の略中央部にはタクトスイッチ等からなる押し釦式のスイッチ部材２５が配設されている。また、基板２４の他方の面には、ＦＰＣコネクタ２６が半田付け等で接続されて固定されており、ＦＰＣコネクタ２６にメンブレン３の端子部４が差し込み可能になっている。
また、基板２４の他方の面には、複数のリード半田付け部２４ａとケーブル半田付け部２４ｂとが形成されている。
【００３５】
このような基板２４は、図１７に示すように、ＦＰＣコネクタ２６を上向きにした状態で、壁部２１ｂ上に載置すると、スイッチ部材２４が貫通孔２１ａに位置するようになっている。そして、スイッチ部材２５がキートップ２２に形成したスイッチ操作部２２ｂでＯＮ／ＯＦＦ操作可能になる。
また、基板２４のケーブル半田付け部２４ｂには、図１６に示すようなケーブル２７が半田付け可能になっている。このケーブル２７は、ケーブル半田付け部２４ｂに半田付け可能な接続部２７ａと所定長さのケーブル部２７ｂを介してプラグ２７ｃが接続されている。
【００３６】
また、図１７に示すように、基板２４の裏面側を蓋閉可能な裏蓋２８が配設されており、この裏蓋２８は、複数の小ネジ２９でケース２１に固定することで、図示しない防水パッキンでケース２１の裏面側が防水可能になっている。
即ち、第１の連結部材２０は、防水ゴム２３と蓋蓋２８とによって、ケース２１の内部が防水可能になっている。
【００３７】
このような第１の連結部材２０で一対の狭持部材１１の一端部側を連結するには、まず、一対の狭持部材１１の一端部側を互いに重ね合わせて、第１の保持溝２１ｄに位置させる。そして、端子部４をＦＰＣコネクタ２６に差し込むと共に、支持孔１９を支持ピン２１ｆに嵌合させることにより、一対の狭持部材１１の一端部側がケース２１に抜け止めされる。
また、一対の狭持部材１１の一端部側から引き出されたリード線１２をリード線半田付け部２４ａに半田付けして接続する。
【００３８】
また、ケーブル半田付け部２４ｂにケーブル２７の接続部２７ａを半田付けする。その後、ケース２１の裏面側を裏蓋２８で蓋閉することで、一対の狭持部材１１の一端部側を第１の連結部材２０で連結することができる。
また、第１の連結部材２０に接続されるケーブル２７は、図１に示すように、プラグ２７ｃを例えば携帯音響機器からなる外部機器３０のジャック（図示せず）に差し込んで接続可能になっている。
【００３９】
また、一対の狭持部材１１は、図１０に示す右側のそれぞれの他端部が第２の連結部材３１に連結されている。この第２の連結部材３１は、図１８〜図２１に示すように、外形が略矩形状ののケース３２が配設されている。
このケース３２は、図１８に示すように、一方側にジャック支持部３２ａが形成されて、周囲が所定高さの周壁３２ｂで覆われている。
また、ケース３２は、底部が底壁３２ｃで遮蔽されと共に上方が開放されている。また、底壁３２ｃには、４本の支持ピン３２ｄと１本の支持棒３２ｅとがそれぞれ所定高さに突出形成されている。
【００４０】
また、ケース３２には、外形が略小判形状の基板３３が取付可能になっている。この  基板３３は、ケース３２の支持ピン３２ｄに嵌合可能な支持孔３３ａが形成されている。
また、基板３３の一方の面の中央部には後述するイヤホーン３７のプラグ４０を挿嵌可能なイヤホーンジャック３４が配設されている。このイヤホーンジャック３４は、基板３３に形成したスルホール状の半田付け部（図示せず）に半田付けされて取り付けられている。
【００４１】
このような基板３３は、図２０に示すように、イヤホーンジャック３４を下向きにした状態の他方の面には、スルホール状の半田付け部３３ｂが形成されており、この半田付け部３３ｂに一対の狭持部材１１の他端部から引き出されたリード線１２が、それぞれ半田付け可能になっている。
そして、リード線１２をそれぞれ半田付けした状態の基板３３は、イヤホーンジャック３４を下向きにした状態でケース３２の周壁３２ｂ内に収納すると、図２０に示すように、イヤホーンジャック３４が、ジャック支持部３２ａに位置すると共に、支持ピン３２ｄに支持孔３３ａが嵌合してケース３２内部に位置決めされる。
【００４２】
また、図２１に示すように、ケース３２の開放された上方を蓋閉可能な蓋材３５が配設され、この蓋材３５をケース３２に取付可能な小ネジ３６が配設されている。
そして、基板３３を支持ピン３２ｄで位置決めしたケース３２は、開放された上方を蓋材３５で蓋閉することにより、図示を省略する防水パッキンによって、内部が防水可能になっている。
前述したような被覆部材１７、１８で外周部が覆われた一対の狭持部材１１は、一端部が第１連結部材２０に連結され、他端部が第２連結部材３１に連結されてストラップ部２が環状になって構成されている。
【００４３】
また、第２の連結部材３１のイヤホーンジャック３４には、図１に示すように、イヤホン３７が接続可能になっている。このイヤホーン３７は、一対のイヤホーン部３８と、このイヤホーン部３８に接続するケーブル部３９とこのケーブル部３９に接続されると共に第２の連結部材３１のイヤホーンジャック３４に挿嵌可能なイヤホンプラグ４０とからなっている。
【００４４】
そして、環状のストラップ部２は、操作者の首に掛けられるようになっており、第２の連結部３１が操作者の首側に位置するように首掛けすると、第１の連結部材２０及びそれぞの入力部１０（表示部１７ｂ、１８ｂ）が、操作者の胸側に位置する。そのことによって、第１の連結部材２０に配設したスイッチ部材２５及びストラップ２に形成された入力部１０が、操作者の手で操作可能な範囲に位置するようになっている。
即ち、ストラップ部２は、首掛け可能とされ、第２の連結部３１が首側に位置するように首掛けすると、入力部１０及びスイッチ部材２５が手で操作可能範囲に位置すようになっている。
【００４５】
このような本発明の入力装置１の操作を説明すると、まず、イヤホン３７のイヤホーンプラグ４０をイヤホーンジャック３４に挿嵌させた状態の第２の連結部材３１を、操作者の首の後側に位置させた状態で、環状のストラップ２を操作者の首に掛ける。
すると、第１の連結部材２０が操作者の胸付近に位置すると共に、ストラップ部２に形成した入力部１０も第１の連結部材２０より上部の操作者の手で操作可能な範囲に位置する。この時、外部機器３０は、ポケットあるいはカバン等に収納されている。
【００４６】
そして、第１の連結部材２０の表面側に位置する防水ゴム２３を押圧操作すると、スイッチ部材２５がＯＮされて、外部機器３０の運転または停止が行えるようになっている。前記外部機器３０がＣＤ等の携帯用音響機器である場合は、スイッチ部材２５のＯＮ／ＯＦＦ操作でＣＤ等の再生あるいは停止操作等が行えるようになっている。
また、一方の表示マーク１７ｂを指で挟むことにより、表示マーク１７ｂの部分に位置する入力部１０が操作されて、例えば音量調整が行えるようになっている。また、他方の表示マーク１８ｂの操作で、例えばスキップ（曲送り）、または、バックスキップ（曲戻し）が行えるようになっている。
即ち、本発明の入力装置１は、ストラップ部２に複数の入力部１０を形成しているので、入力部１０を操作することで、外部機器３０をカバン等から取り出すことなく複数の操作を行うことができ操作性が良い。
【００４７】
本発明の実施の形態では、ストラップ部２は、一対の狭持部材１１のそれぞれの端部を第１、第２の連結部材２０、３１で連結して環状にしたもので説明したが、その他の実施の形態として、ストラップ部２は、１本の長尺状の狭持部材（図示せず）の両端部を重ね合わせて環状にし、この重ね合わされた両端部を、１つの連結部材で連結したものでも良い。
この時のイヤホーンは、図示を省略するが、環状の左右のストラップ部から、内部のリード線１２を引き出して２個のイヤホーン部３８を接続したものでも良い。このような、その他の実施の形態の入力装置（図示せず）は、本発明の実施の形態で説明した第２の連結部材３１が不要となり部品点数を削減できる。
【００４８】
また、メンブレン３を密閉した状態の狭持部材１１は、外周部が被覆部材１７、１８で覆われたもので説明したが、被覆部材１７、１８がなくて、狭持部材１１を露出させたものでも良い。このような入力装置は、表示マーク１７ｂ、１８ｂの形成を、狭持部材１１を成形加工するときに同時に突出、または凹み形成することができる。このような表示マーク１７ｂ、１８ｂを突出、または凹み形成することにより、操作者は、表示マーク１７ｂ、１８ｂを見なくても入力部１０を操作することができる。
【００４９】
【発明の効果】
本発明は、前述したように、ストラップ部は、複数の入力部が形成されたシート状のメンブレンと、入力部を形成した部分のメンブレンを挟み込んで密閉可能な帯状の狭持部材とを有し、メンブレンは、一端部が狭持部材の端部から引き出されて連結部材を介して外部機器に接続可能になっているので、ストラップ部に形成した入力部で、外部機器を操作することができる。
そのために、カバン等に収納した外部機器を取り出すことなく操作できるので操作性がよい。また、入力部は、狭持部材で密閉されているので、入力部に外部から水滴が侵入するのを防ぐことができ、雨等が降っていても本発明の入力装置を使用することができる。
【００５０】
また、狭持部材は、リード線を長手方向に埋設したリード線埋設部と、このリード線埋設部に沿ってメンブレンを挟み込んで密閉可能な互いに対向する一方と他方の狭持板とが形成されているので、入力部を形成した部分のメンブレンを確実に密閉して、入力部を防水することができる。
【００５１】
また、一方と他方の狭持板は、それぞれの一端部がリード線埋設部に一体化されると共に、それぞれの他端部が所定寸法で離間して開放されており、一方と他方の狭持板のそれぞれの他端部を熱溶着してメンブレンを挟み込んで密閉したので、内部のメンブレンを確実に密閉して防水することができる。
また、狭持部材が折り曲げされても、一方と他方の狭持板を熱溶着しているので、一方と他方の狭持板が剥がれることがない。
【００５２】
また、入力部は、互いに対向する部分の基板にそれぞれ形成した接点部からなり、この接点部は、周囲が絶縁性のレジスト膜でオーバーコートされて所定範囲が露出しているので、接点部の製造が容易であると共にレジスト膜をスペーサとして接点部を対外に対向させて入力を形成することができる。
そのために、部品点数の少ない入力装置を提供できる。
【００５３】
また、一方と他方の狭持板は、薄肉に形成されて接点部が位置する部分が弾性変形可能になっているので、入力部の操作性が良い。
【００５４】
また、第１、第２の連結部材で一対の狭持部材を連結することによりストラップ部が環状になっているので、短い２つの狭持部材を連結部材でつないで環状にすることで、第２の連結部材にイヤホンを取り外し可能に接続することができる。
そのために、ストラップ部を首掛けしているときに、イヤホーンを使用しない時は取り外すことができ、見栄えが良い。
【００５５】
また、第１の連結部材には、リード線とメンブレンとがそれぞれ接続され、第２の連結部材には、リード線が接続されているので、第１の連結部材のスイッチ部材にメンブレンに形成した入力部を接続することができ、第２の連結部材にはイヤホンを接続することができる。
【００５６】
また、第１の連結部材には、外部機器とメンブレンの入力部との接続を切り換え可能なスイッチ部材を配設したので、スイッチ部材の操作で外部機器と入力部との接続を切断することができ、操作性が良い入力装置を提供できる。
【００５７】
また、一対の狭持部材の一端部からそれぞれ引き出されているメンブレンンには、前記第１の連結部材に配設したＦＰＣコネクタに接続可能な端子部が形成されているので、端子部をＦＰＣコネクタに差し込むだけで入力部を外部機器に接続することができ、組立性が良い。
【００５８】
また、第２の連結部材には、イヤホーンを接続可能なイヤホンジャックが配設されているので、イヤホーンを使用しないときは、イヤホーンジャックから外すことができ、見栄えを良くすることができる。
【００５９】
また、第２の連結部材は、イヤホーンジャックを取り付け可能なジャック基板を有し、このジャック基板を内部に収納して密閉可能になっているので、第２連結部材の内部を密閉して防水可能になっている。
【００６０】
また、ストラップ部は、狭持部材の外周部を被覆部材で覆ったので被覆部材に模様等を入れて見栄えを良くすることができる。
【００６１】
また、被覆部材には、入力部が位置する部分に表示マークが形成されているので、被覆部材に印刷等で表示マークを簡単に形成するができる。
【００６２】
また、ストラップ部は、首掛け可能とされ、第２の連結部を首側に位置させて首掛けすると、入力部及びスイッチ部が手で操作可能な範囲に位置すようになっているので操作性の良い入力装置を提供できる。
【図面の簡単な説明】
【図１】本発明の入力装置を説明する斜視図である。
【図２】本発明に係わるメンブレンを説明する図である。
【図３】図２のメンブレンを折り畳んだ状態を説明する図である。
【図４】本発明に係わる入力部を説明する要部断面図である。
【図５】本発明に係わる狭持部材を説明する図である。
【図６】本発明に係わる狭持部材の変形礼を説明する図である。
【図７】本発明に係わる狭持部材の組立を説明する斜視図である。
【図８】本発明に係わる狭持部材の組立を説明する斜視図である。
【図９】本発明に係わる狭持部材の組立を説明する斜視図である。
【図１０】本発明に係わる狭持部材の組立を説明する斜視図である。
【図１１】本発明に係わる被覆部材を説明する図である。
【図１２】本発明に係わる被覆部材を説明する図である。
【図１３】本発明に係わる第１の連結部材を説明する図である。
【図１４】本発明に係わる第１の連結部材を説明する図である。
【図１５】本発明に係わる第１の連結部材を説明する図である。
【図１６】本発明に係わる第１の連結部材を説明する図である。
【図１７】本発明に係わる第１の連結部材を説明する図である。
【図１８】本発明に係わる第２の連結部材を説明する図である。
【図１９】本発明に係わる第２の連結部材を説明する図である。
【図２０】本発明に係わる第２の連結部材を説明する図である。
【図２１】本発明に係わる第２の連結部材を説明する図である。
【図２２】従来の入力を説明する図である。
【符号の説明】
１  入力装置
２  ストラップ部
３  メンブレン
４  端子部
６  抵抗体層
６ａ  接点部
７  レジスト膜
１０  入力部
１１  狭持部材
１２  リード線
１３  リード線埋設部
１４  メンブレン密閉部
１７、１８  被覆部材
１９  支持孔
２０  第１の連結部材
２１  ケース
２５  スイッチ部材
２６  ＦＰＣコネクタ
２７  ケーブル
３１  第２の連結部材
３４  イヤホーンジャック
３７イヤホーン
３８イヤホーン部
４０  イヤホーンプラグ
【図１】
2004193077.tif 000003
【図２】
2004193077.tif 000004
【図３】
2004193077.tif 000005
【図４】
2004193077.tif 000006
【図５】
2004193077.tif 000007
【図６】
2004193077.tif 000008
【図７】
2004193077.tif 000009
【図８】
2004193077.tif 000010
【図９】
2004193077.tif 000011
【図１０】
2004193077.tif 000012
【図１１】
2004193077.tif 000013
【図１２】
2004193077.tif 000014
【図１３】
2004193077.tif 000015
【図１４】
2004193077.tif 000016
【図１５】
2004193077.tif 000017
【図１６】
2004193077.tif 000018
【図１７】
2004193077.tif 000019
【図１８】
2004193077.tif 000020
【図１９】
2004193077.tif 000021
【図２０】
2004193077.tif 000022
【図２１】
2004193077.tif 000023
【図２２】
2004193077.tif 000024